(57)【要約】【課題】照射される電波に対して広い周波数帯域にわたって検知可能な電波検知回路及びそのような電波検知回路を用いた遊技機を提供する。【解決手段】電波検知回路１は、電波照射された場合に発振出力を生じる発振回路１１と、発振回路１１に接続される共振回路１２と、共振回路１２の一方の端子に接続される第１のアンテナ１３と、共振回路１２の他方の端子に接続される第２のアンテナ１４とを有する。【選択図】図１
2008003003.tif 000002
【特許請求の範囲】
【請求項１】
電波照射された場合に発振出力を生じる発振回路と、
前記発振回路に接続される共振回路と、
前記共振回路の一方の端子に接続される第１のアンテナと、
前記共振回路の他方の端子に接続される第２のアンテナと、
を有することを特徴とする電波検知回路。
【請求項２】
前記第１のアンテナ及び前記第２のアンテナが電波を受信しない場合、前記発振回路のコンダクタンスは、前記共振回路のコンダクタンスよりも小さく、前記第１のアンテナ及び前記第２のアンテナが電波を受信することにより、前記発振回路のコンダクタンスが前記共振回路のコンダクタンスよりも大きくなる、請求項１に記載の電波検知回路。
【請求項３】
前記発振回路は第１のトランジスタを有し、且つ前記共振回路の前記一方の端子が定電圧回路を介して前記第１のトランジスタのベースに接続され、
前記第１のトランジスタは、前記第１のアンテナが電波を受信した場合、前記共振回路の前記一方の端子の誘起電位の変動によって駆動状態が変動し、且つ前記第１のトランジスタのベース端子又はコレクタ端子が、前記発振回路の出力端子となる、請求項１又は２に記載の電波検知回路。
【請求項４】
前記第２のアンテナが接地される、請求項１〜３の何れか一項に記載の電波検知回路。
【請求項５】
前記発振回路の出力端子がベース端子に接続され、コレクタ端子が接地される第２のトランジスタを有するエミッタフォロア回路をさらに有する、請求項１〜４の何れか一項に記載の電波検知回路。
【請求項６】
前記第２のトランジスタはサブストレート型トランジスタである、請求項５に記載の電波検知回路。
【請求項７】
前記第２のトランジスタのコレクタ端子は、集積回路のサブストレートを介して接地される、請求項５に記載の電波検知回路。
【請求項８】
前記エミッタフォロア回路と接続され、前記第２のトランジスタのエミッタ端子電位を入力信号とし、該エミッタ端子電位に基づいて決定される電位を所定の閾値電圧と比較し、該電位が該閾値電圧を超えた場合と超えない場合で異なる信号を出力する比較回路をさらに有する、請求項５〜７の何れか一項に記載の電波検知回路。
【請求項９】
前記第２のアンテナは、所定の方向から到来する電波に対して前記第１のアンテナを遮るように配置される、請求項１〜８の何れか一項に記載の電波検知回路。
【請求項１０】
遊技者に面して配置される遊技盤と、
少なくとも一つの制御基板と、
前記少なくとも一つの制御基板と前記遊技盤の間に配置され、照射された電波を検知する第１の電波検知回路と、
前記第１の電波検知回路と通信可能に接続され、前記第１の電波検知回路が照射された電波を検知した場合、不正行為が行われたと判断するコントロールユニットと、
を有することを特徴とする遊技機。
【請求項１１】
前記遊技盤に沿って落下する遊技球を検知する近接センサと、
前記近接センサよりも遊技盤の近くに配置され、前記コントロールユニットと通信可能な第２の電波検知回路をさらに有し、
前記第２の電波検知回路が、前記近接センサに向けて照射された電波を検知した場合、前記コントロールユニットは不正行為が行われたと判断する請求項１０に記載の遊技機。
【請求項１２】
前記第１又は前記第２の電波検知回路は、請求項１〜９の何れか一項に記載の電波検知回路である、請求項１１に記載の遊技機。
【請求項１３】
前記第１又は前記第２の電波検知回路は、照射された電波を検知可能な方向に指向性を有し、且つ電波検知可能な方向を前記遊技盤に向ける、請求項１２に記載の遊技機。
【発明の詳細な説明】
【技術分野】
【０００１】
本発明は、電波検知回路及び遊技機に関し、より詳しくは、遊技機に対する電波照射による不正防止のために使用する電波検知回路に関する。
【背景技術】
【０００２】
パチンコ遊技機や回胴遊技機に代表される遊技機では、電波照射による不正を防止することが重要な技術的課題となっている。代表的な例として、遊技盤上に設けられた入賞口などに設けられ、遊技球の通過を検知する近接センサに対して、強電波を照射して誤作動を生じさせる不正がある。そのような不正を防止するために、近接センサが誤作動を生じる前に、照射された電波を検知する電波センサが開発されている（特許文献１参照）。
【０００３】
特許文献１に記載された電波センサは、コレクタがサブストレートとして形成もしくはサブストレートに接続し、エミッタがエミッタ抵抗を介して電源に接続し、ベースを入力とするサブストレート型のＰＮＰトランジスタによるエミッタフォロア回路を有する。そして、その電波センサに強電波が照射されると、エミッタフォロアのエミッタ電位が、回路内の他の全ての素子に先駆けて遮断する現象を利用して、他の箇所が電波による機能障害を起こす前に、強電波が照射されたことを検知する。
【０００４】
また、特許文献１に記載された電波センサを近接センサに応用し、高周波の電波照射による誤作動を防止するよう構成された近接スイッチ回路が開発されている（特許文献２参照）。特許文献２に記載された近接スイッチ回路は、ＬＣ共振回路の入力部に抵抗を接続し、その抵抗値を調整することにより、エミッタフォロア回路の遮断現象が発生する電界強度を制御する。
【０００５】
ただし、特許文献２に記載された近接スイッチ回路は、高周波の電波照射の検知を目的としているため、比較的低周波の電波、例えば、周波数が約５０ＭＨｚ〜１４４ＭＨｚの電波に対しては、上記の遮断現象が発生せず、そのような低周波の電波を検知することができない。そこで、アンテナを備えた複数の感度調整回路を電波検知回路に接続し、遮断現象を生じる周波数帯域を調整することにより、５０ＭＨｚ〜２ＧＨｚという広帯域にわたって照射電波を検知可能な電波センサが開発されている（特許文献３参照）。
【０００６】
上述した何れの電波センサ及び近接スイッチ回路も、電波照射の有無を、サブストレート型のトランジスタを含むエミッタフォロア回路で生じる遮断現象を用いて検知している。そのため、そのトランジスタを含むＩＣ回路の製造工程におけるばらつきにより、遮断周波数が変動するおそれがあり、結果として検知可能な周波数帯域が変動するおそれがある。特に、電波センサを遊技機に対する不正防止のために使用する場合、どのような帯域の電波が照射されるかを事前に特定することは出来ないので、広い周波数帯域にわたって良好な検知能力を有することが重要である。そのため、このような検知可能な帯域の変動が生じることは望ましくない。
【０００７】
また、上述した何れの電波センサ及び近接スイッチ回路においても、電波照射を受けたことは、それら電波センサなどから出力される電位差の変動として現れる。そのため、微弱な変動が、電波照射によるものか、ノイズ等に起因するものか、区別をつけ難い場合がある。
【０００８】
【特許文献１】特許第２９２４０７０号公報
【特許文献２】実用新案登録第２５０４９８９号公報
【特許文献３】特開２００４−２６４１８６号公報
【発明の開示】
【発明が解決しようとする課題】
【０００９】
上記の問題点に鑑み、本発明の目的は、照射される電波に対して広い周波数帯域にわたって検知可能な電波検知回路及びそのような電波検知回路を用いた遊技機を提供することにある。
【００１０】
また本発明の別の目的は、照射電波の検知方向に指向性を有する電波検知回路を提供することにある。
【００１１】
さらに本発明の別の目的は、ノイズ環境下でも照射された電波を良好に検出可能な電波検知回路を提供することにある。
【課題を解決するための手段】
【００１２】
上記の目的を達成するために、本発明に係る電波検知回路は、電波照射された場合に発振出力を生じる発振回路と、発振回路に接続される共振回路と、共振回路の一方の端子に接続される第１のアンテナと、共振回路の他方の端子に接続される第２のアンテナとを有することを特徴とする。なお、第１のアンテナは、共振回路の端子に直接接続してもよく、コンデンサを介して接続してもよい。同様に、第２のアンテナも、共振回路の端子に直接接続してもよく、コンデンサを介して接続してもよい。
【００１３】
また、本発明に係る電波検知回路において、第１のアンテナ及び第２のアンテナが電波を受信しない場合、発振回路のコンダクタンスは、共振回路のコンダクタンスよりも小さく、第１のアンテナ及び第２のアンテナが電波を受信することにより、発振回路のコンダクタンスが共振回路のコンダクタンスよりも大きくなることが好ましい。
このような構成とすることにより、電波が照射されたか否かを、スイッチ的に発振の有無で観察することができるので、出力信号の変動を、電波照射によるものか、ノイズ等に起因するものかを容易に区別することができる。
【００１４】
さらに、本発明に係る電波検知回路において、発振回路は第１のトランジスタを有し、且つ共振回路の上記一方の端子が定電圧回路を介して第１のトランジスタのベースに接続され、第１のトランジスタは、第１のアンテナが電波を受信した場合、共振回路の上記一方の端子の誘起電位の変動によって駆動状態が変動し、且つ第１のトランジスタのベース端子又はコレクタ端子が、発振回路の出力端子となることが好ましい。
【００１５】
さらに、本発明に係る電波検知回路において、第２のアンテナが接地されることが好ましい。静電気などを直接アースに放電できるので、静電気などによる回路故障を防止することができる。
【００１６】
さらに、本発明に係る電波検知回路は、発振回路の出力端子がベース端子に接続され、コレクタ端子が接地される第２のトランジスタを有するエミッタフォロア回路を有することが好ましい。
また、第２のトランジスタはサブストレート型トランジスタであるか、第２のトランジスタのコレクタ端子は、集積回路のサブストレートを介して接地されることが好ましい。サブストレート型のトランジスタに生じる遮断現象を利用することにより、高周波電波を良好に検知することができる。
【００１７】
さらに、本発明に係る電波検知回路は、エミッタフォロア回路と接続され、第２のトランジスタのエミッタ端子電位を入力信号とし、そのエミッタ端子電位に基づいて決定される電位を所定の閾値電圧と比較し、電位が閾値電圧を超えた場合と超えない場合で異なる信号を出力する比較回路を有することが好ましい。
【００１８】
また、本発明に係る電波検知回路において、第２のアンテナは、所定の方向から到来する電波に対して第１のアンテナを遮るように配置されることが好ましい。このように第１及び第２のアンテナを配置することにより、照射電波の検知方向に指向性をもたせることができる。
【００１９】
また、本発明に係る、電波照射による不正行為を防止可能な遊技機は、遊技者に面して配置される遊技盤と、少なくとも一つの制御基板と、その少なくとも一つの制御基板と遊技盤の間に配置され、照射された電波を検知する第１の電波検知回路と、第１の電波検知回路と通信可能に接続され、第１の電波検知回路が照射された電波を検知した場合、不正行為が行われたと判断するコントロールユニットと、を有することを特徴とする。
なお、遊技機とは、パチンコ遊技機だけでなく回胴式遊技機であってもよい。
【００２０】
また、本発明に係る遊技機は、遊技盤に沿って落下する遊技球を検知する近接センサと、近接センサよりも遊技盤の近くに配置され、コントロールユニットと通信可能な第２の電波検知回路をさらに有し、第２の電波検知回路が近接センサに向けて照射された電波を検知した場合、コントロールユニットは不正行為が行われたと判断することが好ましい。
【００２１】
さらに、本発明に係る遊技機において、第１又は第２の電波検知回路は、上記の何れかの電波検知回路であることが好ましい。
【００２２】
さらに、第１又は第２の電波検知回路は、照射された電波を検知可能な方向に指向性を有し、且つ電波検知可能な方向を遊技盤に向けることが好ましい。制御基板などから発生するノイズを誤って検出することを防止することができる。
【発明の効果】
【００２３】
本発明によれば、照射される電波に対して広い周波数帯域にわたって検知可能な電波検知回路及びそのような電波検知回路を用いた遊技機を提供することが可能となる。
【００２４】
また本発明によれば、照射電波の検知方向に指向性を有する電波検知回路を提供することが可能となる。
【００２５】
さらに本発明によれば、ノイズ環境下でも照射された電波を良好に検出可能な電波検知回路を提供することが可能となる。
【発明を実施するための最良の形態】
【００２６】
以下、図面を参照しつつ本発明を適用した第１の実施形態に係る電波センサについて詳細に説明する。そこで先ず、第１の実施形態に係る電波センサに搭載される電波検知回路１について説明する。
【００２７】
図１に、電波検知回路１の回路図を示す。電波検知回路１は、発振回路１１、ＬＣ共振回路１２、アンテナ１３及びアンテナ１４を有する。そして、発振回路１１は、ＬＣ共振回路１２と接続される。また、ＬＣ共振回路１２の高電位側端子及び低電位側端子には、それぞれアンテナ１３及びアンテナ１４が接続される。そして、電波検知回路１では、電波照射されない状態では、発振回路１１が発振を起こさないように、ＬＣ共振回路１２側のコンダクタンスｇＬが、発振回路１１側のコンダクタンスｇｉよりも大きくなるように設定される。一方、電波照射を受けることによって、発振回路１１側のコンダクタンスｇｉが増加してＬＣ共振回路１２側コンダクタンスｇＬを上回り、発振回路１１は発振するようになる。
【００２８】
このように構成することで、特に５０ＭＨｚ〜１４４ＭＨｚの低周波領域の照射電波を良好に検知することが可能となる。さらに、電波照射の有無を、発振の有無として出力することができるので、特に発振回路１１からの出力を増幅することにより、電波照射時の出力電圧の振幅と電波非照射時の出力電圧の振幅の差を大きくすることができるので、高い検知能力を得ることができる。以下、電波検知回路１の各部について詳細に説明する。
【００２９】
図１に示すように、発振回路１１は、トランジスタＴr1〜Ｔr7及び抵抗Ｒ1〜Ｒ3で構成される。このうち、ＮＰＮ型のトランジスタＴr1、ＰＮＰ型のトランジスタＴr2、Ｔr3及び抵抗Ｒ1は、発振出力を生じるための主要部分を構成する。一方、ＰＮＰ型のトランジスタＴr4、Ｔr5及び抵抗Ｒ2は、トランジスタＴr1のベース及びＬＣ共振回路１２のコイルＬ1に駆動電流Ｉ0を供給するための駆動電流回路Ｉ0を構成する。さらに、ＮＰＮ型のトランジスタＴr6、Ｔr7及び抵抗Ｒ3は、ＬＣ共振回路１２の高電位側端子とトランジスタＴr1のベース間の直流バイアス電圧Ｖ0を一定に保つための定電圧回路Ｖ0を構成する。
【００３０】
ここで、発振回路１１の主要部を構成するトランジスタＴr2及びＴr3のエミッタは、それぞれ電圧源Ｖccと接続されている。また、トランジスタＴr2及びＴr3のベースは互いに接続され、さらにトランジスタＴr1のコレクタに接続されている。さらに、トランジスタＴr2のコレクタも、トランジスタＴr1のコレクタに接続されている。さらに、トランジスタＴr3のコレクタは、ＬＣ共振回路１２の高電位側端子と接続されている。
【００３１】
また、トランジスタＴr1のエミッタは、抵抗Ｒ1を介して接地されている。さらに、トランジスタＴr1のベースは、駆動電流回路Ｉ0を構成するＰＮＰ型のトランジスタＴr5のコレクタに接続されている。同様に、トランジスタＴr1のベースは、定電圧回路Ｖ0を構成するＴr6のベース及びトランジスタＴr7のコレクタに接続されている。さらに、トランジスタＴr1のベース電位は、出力Ｖoutとして取り出される。
【００３２】
駆動電流回路Ｉ0を構成するトランジスタＴr4及びＴr5のエミッタは、それぞれ電圧源Ｖccと接続されている。また、トランジスタＴr4及びＴr5のベースは互いに接続され、さらにトランジスタＴr5のコレクタに接続されている。さらに、トランジスタＴr5のコレクタは、抵抗Ｒ2を介して接地されている。
【００３３】
定電圧回路Ｖ0を構成するトランジスタＴr6のコレクタは、電圧源Ｖccと接続されている。また、トランジスタＴr6のベースは、トランジスタＴr1のベース及びトランジスタＴr4のコレクタに接続されている。さらに、トランジスタＴr6のエミッタは、トランジスタＴr7のベースに接続され、また抵抗Ｒ3を介してＬＣ共振回路１２の高電位側端子と接続されている。そして、トランジスタＴr7のエミッタも、ＬＣ共振回路１２の高電位側端子と接続されている。
【００３４】
この発振回路１１では、ＬＣ共振回路１２の高電位側端子からの誘起電位が、定電圧回路Ｖ0を介してバイアスされてトランジスタＴr1のベースに入力されると、トランジスタＴr1のエミッタ電位と抵抗Ｒ1で定まる電流によってトランジスタＴr2が駆動される。すると、トランジスタＴr2とミラー接続されたトランジスタＴr3が駆動され、トランジスタＴr3のコレクタ電流がＬＣ共振回路１２の高電位側端子に帰還される。
【００３５】
次に、ＬＣ共振回路１２について説明する。ＬＣ共振回路１２は、コイルＬ1、コンデンサＣ1を有する。そして、ＬＣ共振回路１２は、コイルＬ1とコンデンサＣ1が高電位側端子と低電位側端子との間に並列接続されたＬＣ並列共振回路である。なお、ＬＣ共振回路１２の低電位側端子は、接地されている。
【００３６】
そして、ＬＣ共振回路１２の高電位側端子には、カップリングコンデンサＣ2を介してアンテナ１３が接続されている。また、ＬＣ共振回路１２の低電位側端子には、直接アンテナ１４が接続されている。また、アンテナ１３と、アンテナ１４は、検知したい電波を同時に受信するように配置される。なお、これらのアンテナの形状及び配置については、本発明の第１の実施形態に係る電波センサ２０の構造とともに説明した方が、容易に理解できると考えられるので、電波センサ２０の構造とともに後述する。
【００３７】
上記のように、電波検知回路１は電波を照射されると発振するように、発振回路１１側コンダクタンスｇｉと、ＬＣ共振回路１２側コンダクタンスｇＬが設定される。具体的には、ナイキストの発振条件判定に基づき、ｇｉとｇＬの関係が以下の式を満たすように設定した。
発振停止時（電波未照射時）    ｇＬ  ＞  ｇｉ                  （１）
定常発振時（電波照射時）      ｇＬ  ＜  ｇｉ                  （２）
【００３８】
ここで、電波回路１において、ｇＬ、ｇｉはそれぞれ以下の式で表される。
ｇＬ  ≒  （Ｃ0＋Ｃ1）×Ｒ0／Ｌ1              （３）
ｇｉ  ≒  hfe×Ａ0／［（２＋hfe）×Ｒ1］      （４）
なお、（３）式において、Ｃ0はコイルＬ1の巻線に潜在する浮遊容量、Ｃ1はコンデンサＣ1の容量、Ｒ0はコイルＬ1の巻線抵抗、Ｌ1はコイルＬ1のインダクタンスを表す。また、（４）式において、hfeは、トランジスタＴr2及びＴr3の電流増幅率、Ａ0はトランジスタＴr2とＴr3のコレクタ電流比、Ｒ1は抵抗Ｒ1の抵抗値を表す。なお、本実施形態では、hfeは１００〜１５０程度となり、Ａ0は、Ｔr2とＴr3がミラー接続されているので、ＬＣ共振回路１２を通じて受信した電波がＴr3のコレクタに流入しない状態では、ほぼ正確に１となる。
【００３９】
（４）式から明らかなように、Ｒ1の値を調整することで、発振回路１１側コンダクタンスｇｉを調整できる。したがって、Ｒ1の値を調整することで、電波照射の有無によって、コンダクタンスｇｉとｇＬが、（１）式を満たす状態と（２）式を満たす状態を切り替わるように、設定することができる。
【００４０】
まず、電波検知回路１に電波が照射されていない状態では、コンダクタンスｇｉとｇＬが（１）式を満たすように、Ｒ1の値を設定することで、電波検知回路１を発振停止状態とする。
ここで、電波検知回路１に、電波（特に、周波数が約５０ＭＨｚ〜１４４ＭＨｚの範囲に含まれる低周波電波）が照射されると、アンテナ１３から侵入した電波が発振回路１１のトランジスタＴr3のコレクタに到達する。そのため、コレクタ電流比Ａ0が増大し、（４）式から明らかなように、発振回路１１側コンダクタンスｇｉも増大する。
【００４１】
一方、ＬＣ共振回路１２側について検討すると、照射された電波は、ＬＣ共振回路１２の高電位側端子と低電位側端子のそれぞれに接続されたアンテナ１３とアンテナ１４で同時に受信されるため、同相分がキャンセルされる。そのため、ＬＣ共振回路１２側コンダクタンスｇＬは、電波照射の有無にかかわらず、実質的に変動しない。
【００４２】
その結果、電波検知回路１に電波照射することで、コンダクタンスｇＬとｇｉの大小関係が反転し、（２）式を満たすようになる。そして、発振回路１１で定常発振を生じるようになる。
【００４３】
次に、本発明の第１の実施形態に係る電波センサ２０の構造について、アンテナ１３及びアンテナ１４の形状及び配置関係とともに説明する。
図２（ａ）、図２（ｂ）は、それぞれ電波センサ２０の概略斜視図であり、図２（ａ）はアンテナ１４側（以下、電波センサ２０の背面側という）から見たものであり、図２（ｂ）はアンテナ１３側（以下、電波センサ２０の前面側という）から見たものである。また、図２（ｃ）は、アンテナ１３とアンテナ１４の平面投影図である。
【００４４】
図２（ａ）及び図２（ｂ）に示すように、アンテナ１３は、一例として、電波検知回路１が形成されたプリント基板２１の表面（アンテナ１４と対向する側の面）上に、リング形状の銅箔パターンとして形成される。一方、アンテナ１４は、矩形状の金属板として形成される。また、プリント基板２１には、電波検知回路１と電気的に接続されるコネクタ２２を実装し、外部に設けられた電源から、電波検知回路１へ電力供給を行い、また電波検知回路１からの出力信号を外部に設けられた制御基板などに出力可能とした。なお、説明を明瞭にするため、電波検知回路１は、図上では省略されている。
【００４５】
さらに、図２（ａ）及び図２（ｂ）に示すように、二つのアンテナ１３及び１４は略平行に配置される。さらに、アンテナ１４の一端は、プリント基板２１の嵌合穴２３に嵌合され、半田接合等の方法により、プリント基板２１上の電波検知回路１と電気的に接続される。
【００４６】
さらに、アンテナ１３及びアンテナ１４は、電波センサ２０の前面側から照射された電波を検知し、電波センサ２０の背面側から照射された電波は検知しないように配置される（以下、電波センサ２０の前面を電波検知面という）。すなわち、図２（ｃ）に示すように、アンテナ１３の電波検知部分の表面積は、アンテナ１４の電波検知部分の表面積よりも小さく、電波センサ２０の電波検知面側からは、両方のアンテナを視認することができるものの、電波センサ２０の背面側からは、アンテナ１３を視認することが出来ない構造とした。言い換えると、電波検知面に対して略垂直な方向でアンテナ１３をアンテナ１４上に投影してできる像は、アンテナ１４に完全に包含される。
【００４７】
そのため、電波センサ２０の電波検知面側から電波を照射した場合には、アンテナ１３及びアンテナ１４の両方で電波を検知できるので、上記のように、電波検知回路１からは発振出力が得られるようになる。
しかし、電波センサ２０の背面側から電波を照射した場合には、アンテナ１４がアンテナ１３を隠すので、アンテナ１３は照射された電波を検知することができない。そのため、上記のようにコンダクタンスｇｉは殆ど変化せず、電波検知回路１は発振停止状態を維持する。
このように、特定方向からは、両方のアンテナを視認することができ、その反対方向からは、アンテナ１４でアンテナ１３を遮るようにアンテナ１３及び１４を配置することで、電波センサ２０に指向性をもたせることができる。
【００４８】
また、一般に、アンテナの大きさ及びアンテナに接続される配線の長さは、検知感度に影響するため、検知しようとする電波に応じて厳密に決定する必要がある。しかし、電波センサ２０では、アンテナ１４が、アンテナ１３で受信した電波の同相成分をキャンセルさせるため、配線長により検知感度が変動する現象を抑制することができる。また、長大なアンテナを必要としなくなるので、電波センサを小型化することができる。
【００４９】
上記のように、本発明を適用した第１の実施形態に係る電波センサ２０は、サブストレート型トランジスタの遮断現象における不感帯域電波の到来を検知できるので、広い周波数帯域の電波を検知することができる。また、二つのアンテナを有することで、電波検知方向に指向性を持たせることができ、且つアンテナの配線設計が容易となる。
【００５０】
次に、本発明を適用した第２の実施形態に係る電波センサ３０について説明する。第２の実施形態に係る電波センサ３０は、第１の実施形態に係る電波センサ２０と比較して、アンテナの構造が異なる点と、アンテナ及び電波検知回路１を収納する筐体を有する点で相違するが、同一の電波検知回路を使用するものである。そこで、以下では、電波センサ３０の構造及びアンテナについて説明する。
【００５１】
図３（ａ）は、電波センサ３０を前面（電波検知面）側から見た斜視図であり、図３（ｂ）は、電波センサ３０を背面側から見た斜視図である。また、図４は、電波センサ３０の背面側から見た部品展開図である。図４に示すように、アンテナ１３は、図２に示した第１の実施形態と同様の構造を有しており、プリント基板２１上の銅箔パターンとして形成される。一方、アンテナ１４は、矩形平板状の底面部と、その底面部と略直交し、三方をコの字型に覆う側壁からなる箱型状構造の金属板で形成される。そして、アンテナ１４の一端は、図２に示したものと同様に、プリント基板２１の嵌合穴（図示せず）に嵌合され、半田接合等の方法により、プリント基板２１上の電波検知回路１と電気的に接続される。また、プリント基板２１の表面には、電波検知回路１と電気的に接続されるコネクタ２２を実装し、外部に設けられた電源から、電波検知回路１へ電力供給を行い、また電波検知回路１からの出力信号を外部に設けられた制御基板などに出力可能とした。そして、樹脂製のケース２４及びカバー２５は、一体となって一つの筐体を形成し、その内部空間に、プリント基板２１及びアンテナ１４を収納する。
【００５２】
図５（ａ）は、電波センサ３０の概略断面図である。図５（ａ）に示すように、電波センサ３０は、箱型形状のアンテナ１４の開放端をプリント基板２１で蓋をした構造となっている。また、プリント基板２１は、カバー２５の突起部で支持され、アンテナ１４の開放端よりも内側に配置される。すなわち、プリント基板２１は、アンテナ１４の側壁の先端部よりもアンテナ１４の底面の近くに配置される。したがって、プリント基板２１の表面に形成されたアンテナ１３及び電波検知回路１も、アンテナ１４の側壁の先端部よりもアンテナ１４の底面の近くに配置される。
【００５３】
電波センサ３０では、アンテナ１３の側面を覆うようにアンテナ１４が存在することになるため、電波センサ３０の側面から照射された電波も、アンテナ１４でのみ受信され、アンテナ１３では殆ど受信されない。そのため、上述した第１の実施形態の構造例と比較して、電波検知方向の指向性をより高めることができる。
【００５４】
ここで、再度図１を参照すると、アンテナ１４は、ＬＣ共振回路１２の低電位側端子を経て接地されている。したがって、アンテナ１４は、電磁誘導ノイズに対するシールドとしての役割も有し、検知対象でない方向からの電波から電波検知回路１を防護する。
さらに、静電気に対しても、アンテナ１４がアースの役割を果たすため、電波検知回路１を防護することができる。図５（ｂ）は、この様子を示した、電波センサ３０の概略断面図の端部拡大図である。電波センサ３０に外部から到達する静電気は、ケース２４とカバー２５の隙間ｇから、沿面を伝って電波センサ３０の内部に侵入する。ここで、上記のように、電波センサ３０では、アンテナ１３は、アンテナ１４の開放端よりも内側に配置される。よって、ケース２４及びカバー２５の外殻からアンテナ１３までの沿面距離よりも、それらの外殻からアンテナ１４までの沿面距離の方が短い。そのため、静電気は、アンテナ１３及び電波検知回路１の他の部分に到達する前に、アンテナ１４に到達し、ＬＣ共振回路１２の低電位側端子を経て放電される。
【００５５】
上記のように、電波センサ３０は、アンテナ１４でアンテナ１３の側面を覆うことにより、電波検知方向をの指向性をより高めることができる。また、電波検知方向以外から飛来する電波や、電磁誘導ノイズを、接地されたアンテナ１４で拾い易くなるため、ノイズによる誤作動を生じ難いという利点を有する。さらに、電波センサ３０の外殻から接地されたアンテナ１４までの沿面距離が、その外殻からアンテナ１３や電波検知回路１までの沿面距離よりも短くなるように各部を配置したことにより、静電気がアンテナ１４から直接アースへ放電されるので、静電破壊を生じ難いという利点を有する。
【００５６】
なお、アンテナ１３及び１４の形状は、上記のものに限られない。例えば、アンテナ１３の形状を、単純な円形や、矩形とすることもできる。同様に、アンテナ１４も、円形など、他の形状にすることができる。
【００５７】
さらに、上記の例では、電波検知方向について指向性を持たせるために、特定方向からのみ両方のアンテナを見えるように配置したが、逆に指向性を持たせたくない場合は、電波センサの各方向から、両方のアンテナを視認できるようにアンテナ１３及び１４を配置すればよい。例えば、図２に示した配置で、アンテナ１３を円盤形状とし、逆にアンテナ１４の略中心部に孔を形成する。あるいは、アンテナ１３とアンテナ１４を同一平面状に配置する。このように構成することで、電波センサ３０の背面側から電波を照射した場合でも、アンテナ１３と１４の両方に電波が届くので、照射された電波を検知することができる。
【００５８】
次に、本発明の第３の実施形態に係る電波センサについて説明する。第３の実施形態に係る電波センサは、第２の実施形態に係る電波センサ３０の電波検知回路１を、高周波電波に対する検知性能を向上させた電波検知回路２に変更したものであり、その他の部分については電波センサ３０と同一である。そこで、以下では、電波検知回路２についてのみ説明する。
【００５９】
図６に、電波検知回路２の回路図を示す。電波検知回路２は、第１の電波検知回路１と、第２の電波検知回路１５、比較回路１６及び出力回路１７を有する。また、第１の電波検知回路１は、図１に示した上記の電波回路１と同一の回路である。なお、図の簡略化のために、駆動電流回路Ｉ0及び定電圧回路Ｖ0は、等価回路で表している。
【００６０】
第２の電波検知回路１５は、サブストレート型ＰＮＰトランジスタＴr8と抵抗Ｒ4からなるエミッタフォロア回路であり、トランジスタＴr8のエミッタが抵抗Ｒ4を介して供給電源Ｖccに接続され、トランジスタＴr8のコレクタが接地される。また、トランジスタＴr8のベースは、第１の電波検知回路１の出力端子（トランジスタＴr1のベース）に接続される。
なお、トランジスタＴr8を、通常のＰＮＰトランジスタとし、そのコレクタを集積回路のサブストレートで形成されるＧＮＤラインに接続するようにしてもよい。
【００６１】
比較回路１６は、トランジスタＴr9及びＴr10、抵抗Ｒ5〜Ｒ9、コンデンサＣ3、コンパレータＣＯＭ１、及び定電圧回路Ｖ1で構成される。そして、比較回路１６は、第２の電波検知回路１５のトランジスタＴr8のエミッタ電位を入力とし、その電位によって充電を行う積分回路の出力電位を所定の閾値と比較により弁別する。なお、比較回路１６の構成は周知であるため、ここでは詳細な説明は省略する。
【００６２】
出力回路１７は、ＮＰＮ型トランジスタＴr11と抵抗Ｒ10から構成される。そして、出力回路１７は、比較回路１６のコンパレータＣＯＭ１の出力端子から得た出力を、抵抗Ｒ10を介してトランジスタＴr11のベースに入力し、トランジスタＴr11のコレクタから出力Ｖoutを取り出すことで、比較回路１６の出力信号を反転させた信号を出力する。
なお、電波検知回路２に電波照射されていない状態では、比較回路１６のコンパレータＣＯＭ１からの出力は高電位となり、出力回路１７から低電位信号が出力されるように、抵抗Ｒ7〜Ｒ10の値が設定される。
【００６３】
以下、電波検知回路２の動作について説明する。
まず、５０ＭＨｚ〜１４４ＭＨｚ程度の比較的低周波の電波が照射された場合について説明する。この場合、アンテナ１３及び１４が電波を受信すると、第１の電波検知回路１の発振回路１１から発振波が発生する。このとき、第２の電波検知回路１５は、トランジスタＴr8が遮断現象を生じないため、通常のエミッタフォロア回路として機能する。そして、発振波によりトランジスタＴr8のエミッタ電位Ｖeが低下し、Ｖe＜Ｖ1−２Ｖbeとなる領域で、比較回路１６のトランジスタＴr9がＯＮとなり、抵抗Ｒ6とコンデンサＣ3で構成される積分回路への充電が開始される。なお、上式で、Ｖ1は、比較回路１６の定電圧源Ｖ1のバイアス電圧であり、ＶbeはトランジスタＴr9及びＴr8のベースエミッタ間電圧である。
【００６４】
電波照射が継続し、コンデンサＣ3への充電が進むと、抵抗Ｒ6の両端電位が増大する。そして、この電位と、抵抗Ｒ7〜Ｒ9で定まる閾値電圧とを、コンパレータＣＯＭ１で比較する。そして、抵抗Ｒ6の両端電位が閾値電圧を超えると、コンパレータＣＯＭ１の出力電圧が低下する。そのため、出力回路１７のトランジスタＴr11はＯＦＦとなり、出力端子Ｖoutから高電位信号が出力され、電波検知回路２が電波照射を検知したことが分かる。
【００６５】
次に、１４４ＭＨｚを超える中〜高周波の電波が照射された場合について説明する。例えば１２００ＭＨｚの周波数を有する電波が照射され、アンテナ１３及び１４がその電波を受信すると、第２の電波検知回路１５のトランジスタＴr8が遮断現象を起こす。この場合、トランジスタＴr8のエミッタ電位は、発振回路１１の動作如何にかかわらず、ＧＮＤ電位まで低下する。そのため、比較回路１６及び出力回路１７では、上記の低周波電波照射の場合と同様に動作して、出力端子Ｖoutから高電位信号が出力されるようになる。そして、電波検知回路２が電波照射を検知したことが分かる。なお、発振回路１１からも発振出力が得られるものの、電波検知における主導的な役割は、第２の電波検知回路１５が果たすことになる。
【００６６】
以上のように、電波検知回路２は、低周波の電波に対しては、第１の電波検知回路が発振を行うことにより検知を行うことができ、中〜高周波の電波に対しては、第２の電波検知回路の遮断現象により検知を行うことができる。そのため、広い周波数帯域に対して、良好な検知特性を有する。
【００６７】
図７に、電波検知回路２の周波数−感度特性のグラフを示す。図７において、グラフの横軸は、検知対象の電波の周波数を表し、グラフの縦軸は、電波検知回路の感度を表す。グラフ７０１は、電波検知回路２の周波数−感度特性を表す。また、電波検知回路２を構成する第１の電波検知回路１の周波数−感度特性をグラフ７０２に、第２の電波検知回路１５（サブストレート型ＰＮＰトランジスタによる電波検知回路）の周波数−感度特性をグラフ７０３に示す。
図７に示すように、第１の電波検知回路１は、約１００ＭＨｚ〜１５０ＭＨｚのところで感度が最大となり、周波数が高くなるにつれて感度が低下する。逆に、第２の電波検知回路１５は、低周波ではほとんど感度を持たないものの、周波数が高くなるにつれて徐々に感度も上昇し、約９００ＭＨｚ〜１２００ＭＨｚのところで感度が最大となる。そのため、電波検知回路２全体としては、低周波から高周波まで、良好な感度を有することができる。
【００６８】
以下、本発明を適用した電波センサを応用した、不正防止機能を有する遊技機について説明する。図８に、本発明を適用した電波センサを備えた遊技機５０の概略構成図を示す。
遊技機５０は、上部から中央部の大部分の領域に設けられた遊技盤５１と、下部に配設された球受け部及びハンドルを備えた操作部などで構成される。遊技者の操作に応じて、操作部の回動量に応じて図示しない発射装置より遊技球を発射する。発射された遊技球は、遊技盤５１の側方に設けられたレールに沿って上方へ移動し、遊技盤５１上に設けられた多数の障害釘の間を落下する。遊技盤５１には、障害釘の他に、液晶表示装置などで構成され、遊技者に様々な情報を提供する表示装置と、表示装置の周囲に配置され、遊技の演出に用いられる役物部と、遊技球が入ると複数個の遊技球を獲得することができる入賞口５２などが配設されている。
【００６９】
遊技盤５１に沿って流下する遊技球が入賞口５２に入ると、近傍に配置された近接センサ５３で入賞口５２に入った遊技球を検出する。近接センサ５３は、遊技球を検出すると、コントロールユニット５４に遊技球を検出したことを通知する。すると、コントロールユニット５４は、払い出し装置（図示せず）を制御して、所定数の遊技球を遊技盤５１の前面に設けられた払い出し口（図示せず）に払い出す。またコントロールユニット５４は、一乃至複数の制御基板５５と電気的に接続される。制御基板５５は、コントロールユニット５４からの指示にしたがって、電飾装置、表示装置などの各部を制御する。さらにコントロールユニット５４は、ホール全体の管理を行う集中ＣＰＵに遊技情報を送信するため、外部接続端子基板５６を通じて外部通信可能となっている。
【００７０】
また、悪意をもって不正を行おうとする者が、遊技機５０に向けて電波を照射し、近接センサ５３あるいは制御基板５５の不正動作を生ぜしめることを防止するため、近接センサ５３の近傍に電波センサ５７が配置され、制御基板５５と遊技盤５１との間に電波センサ５８が配置される。そして、電波センサ５７、５８はコントロールユニット５４と電気的に接続され、コントロールユニット５４は、電波センサ５７、５８の出力信号を取得して、電波照射による不正行為が行われたか否かを判断する。コントロールユニット５４は、不正行為が行われたと判断した場合、警報灯駆動回路５９を駆動して警報灯６０を点灯させて、不正行為が行われたことを報知する。さらに、外部接続端子基板５６を通じて集中ＣＰＵへ不正行為が行われたことを通知する。
【００７１】
ここで、電波センサ５７、５８としては、上記の何れかの電波センサを使用することができる。また、上記の電波センサは、電波検知可能な方向に指向性を有する。そこで、電波センサ５７、５８として上記の電波センサを用いる場合、その電波検知可能な方向が、遊技者の方を向くように、すなわち、遊技盤５１と電波センサ５７、５８の電波検知面が対向し、且つ略平行となるように配置される。なお、電波センサ５７は、近接センサ５３よりも遊技盤５１に近接して配置することが好ましい。不正行為のために照射される電波による電界強度が、近接センサ５３の位置よりも強くなり、近接センサ５３が誤動作を生じるよりも先に、電波センサ５７でその電波を検知することが容易となる。
【００７２】
図９は、近接センサ５３とその近傍に配置される電波センサ５７の概略構成図である。図９に示すように、近接センサ５３の信号出力Ｖo1と電波センサ５７の信号出力Ｖo2は、それぞれコントロールユニット５４の入力端子に接続される。ここで、コントロールユニット５４は、近接センサ５３が遊技球を検知した場合の信号出力Ｖo1＝１、遊技球を検知しない場合の信号出力Ｖo1＝０とする。同様に、コントロールユニット５４は、電波センサ５７が電波を検知した場合の信号出力Ｖo2＝０、電波を検知しない場合の信号出力Ｖo2＝１とする。
このとき、コントロールユニット５４は、Ｖo1・Ｖo2＝１のとき、入賞したと判断し、Ｖo1・Ｖo2＝０のときには入賞していないと判断する。
【００７３】
そのため、電波センサ５７が不正な電波を検知すると、Ｖo1・Ｖo2は必ず０となるので、電波照射による不正行為が防止される。またコントロールユニット５４は、Ｖo2＝０のとき、警報灯駆動回路５９を駆動し、警報灯６０を点灯させる。さらに、外部接続端子基板５６を通じて集中ＣＰＵへ不正行為が行われたことを通知する。
【００７４】
以上、本発明に係る電波検知回路及び電波センサについて説明してきたが、本発明は上記の例に限られない。例えば、発振回路をコルピッツ型で構成したものや、中間タップ型のハートレイ発振回路で構成してもよい。これらの回路例を、図１０及び図１１に示す。
【００７５】
図１０は、本発明に係る電波検知回路を、コルピッツ型の発振回路で構成した場合の電波検知回路８０の回路図である。この場合、発振回路８１は、トランジスタＴr1、抵抗Ｒ1及びＲ2、駆動電流回路Ｉ0及び定電圧回路Ｖ0で構成される。また、ＬＣ共振回路８２は、コイルＬ1、コンデンサＣ1及びＣ2で構成される。そして、アンテナ１３は、ＬＣ共振回路８２の高電位側端子に接続され、アンテナ１４は、ＬＣ共振回路８２の低電位側端子に接続される。この変形例においても、抵抗Ｒ1の値を調整することにより、電波照射されない状態では発振せず、アンテナ１３及び１４が照射された電波を受信すると、トランジスタＴr1のコレクタ端子から発振出力を生じる。よって、その発振出力を生じたか否かを調べることにより、電波を検知したか否かを判断することができる。
【００７６】
図１１は、本発明に係る電波検知回路を、中間タップ型のハートレイ発振回路で構成した場合の電波検知回路９０の回路図である。この場合、発振回路９１は、トランジスタＴr1、抵抗Ｒ1及びＲ2、駆動電流回路Ｉ0及び定電圧回路Ｖ0で構成される。ＬＣ共振回路９２は、コイルＬ1及びＬ2、コンデンサＣ1で構成される。そして、アンテナ１３は、ＬＣ共振回路９２の高電位側端子に接続され、アンテナ１４は、ＬＣ共振回路９２の低電位側端子に接続される。この変形例においても、抵抗Ｒ1の値を調整することにより、電波照射されない状態では発振せず、アンテナ１３及び１４が電波を受信すると、トランジスタＴr1のコレクタ端子から発振出力を生じる。よって、その発振出力を生じたか否かを調べることにより、電波を検知したか否かを判断することができる。
【００７７】
またさらに、上記の電波検知回路の相補回路とした構成にすることもできる。
図１２は、図１に示した電波検知回路１の相補回路とした構成の電波検知回路１００の回路図である。この場合、発振回路１０１は、トランジスタＴr1〜Ｔr3、抵抗Ｒ1、駆動電流回路Ｉ0及び定電圧回路Ｖ0で構成される。ＬＣ共振回路１０２は、コイルＬ1及びコンデンサＣ1で構成される。各トランジスタＴr1〜Ｔr3は、図１の電波検知回路１と比較して、ＰＮＰ型とＮＰＮ型が逆となる。また、アンテナ１３がＬＣ共振回路１０２の低電位側に接続され、アンテナ１４がＬＣ共振回路１０２の高電位側に接続される。なお、この構成においても、ＬＣ共振回路側のコンダクタンスｇＬと、発振回路側のコンダクタンスｇｉは、（３）式及び（４）式で表される。
【００７８】
同様に、図１３は、図１０に示したコルピッツ型発振回路の構成を有する電波検知回路８０の相補回路とした構成の電波検知回路１１０の回路図である。発振回路１１１は、トランジスタＴr1、抵抗Ｒ1及びＲ2、駆動電流回路Ｉ0及び定電圧回路Ｖ0で構成される。ＬＣ共振回路１1２は、コイルＬ1及びコンデンサＣ1及びＣ2で構成される。この場合も、トランジスタＴr1がＮＰＮ型からＰＮＰ型に変更となり、アンテナ１３がＬＣ共振回路１１２の低電位側に接続され、アンテナ１４がＬＣ共振回路１１２の高電位側に接続される。
何れの回路においても、アンテナ１３で受信した電波によってメインとなるトランジスタＴr1のベースに印加される電圧が変化して、トランジスタＴr1の駆動状態が変化することにより、発振出力を生じる。
このような修正は、当業者にとっては本発明の範囲内で容易に行うことが可能である。
【図面の簡単な説明】
【００７９】
【図１】本発明の第１の実施形態に係る電波検知回路の回路図である。
【図２】（ａ）、（ｂ）は、それぞれ本発明の第１の実施形態に係る電波センサの概略斜視図であり、（ｃ）は、二つのアンテナの平面投影図である。
【図３】（ａ）、（ｂ）は、それぞれ本発明の第２の実施形態に係る電波センサの概略斜視図である。
【図４】本発明の第２の実施形態に係る電波センサの部品展開図である。
【図５】（ａ）は、本発明の第２の実施形態に係る電波センサの概略断面図であり、（ｂ）はその端部の拡大図である。
【図６】本発明の第３の実施形態に係る電波検知回路の回路図である。
【図７】本発明の第３の実施形態に係る電波検知回路の周波数−感度特性のグラフである。
【図８】本発明を適用した電波センサを備えた遊技機の概略構成図である。
【図９】近接センサとその近傍に配置される電波センサの概略構成図である。
【図１０】本発明の別の実施形態に係る電波検知回路の回路図である。
【図１１】本発明の別の実施形態に係る電波検知回路の回路図である。
【図１２】本発明の別の実施形態に係る電波検知回路の回路図である。
【図１３】本発明の別の実施形態に係る電波検知回路の回路図である。
【符号の説明】
【００８０】
１、２、１５、８０、９０、１００、１１０    電波検知回路
２０、３０、５７、５８    電波センサ
１１、８１、９１、１０１、１１１    発振回路
１２、８２、９２、１０２、１１２    ＬＣ共振回路
１３、１４    アンテナ
１６    比較回路
１７    出力回路
２１    プリント基板
２２    コネクタ
２３    嵌合穴
２４    ケース
２５    カバー
５０    遊技機
５１    遊技盤
５２    入賞口
５３    近接センサ
５４    コントロールユニット
５５    制御基板
５６    外部接続端子基板
５９    警報灯駆動回路
６０    警報灯
Ｃ1〜Ｃ3    コンデンサ
Ｌ1、Ｌ2    コイル
Ｒ1〜Ｒ10    抵抗
Ｔr1〜Ｔr11    トランジスタ
Ｖ0、Ｖ1    定電圧回路
Ｉ0    駆動電流回路
ＣＯＭ１    コンパレータ
【図１】
2008003003.tif 000003
【図２】
2008003003.tif 000004
【図３】
2008003003.tif 000005
【図４】
2008003003.tif 000006
【図５】
2008003003.tif 000007
【図６】
2008003003.tif 000008
【図７】
2008003003.tif 000009
【図８】
2008003003.tif 000010
【図９】
2008003003.tif 000011
【図１０】
2008003003.tif 000012
【図１１】
2008003003.tif 000013
【図１２】
2008003003.tif 000014
【図１３】
2008003003.tif 000015